(57)【要約】      （修正有）【課題】布団を片づける場所がないと部屋の隅に押しやることになるので、限られた部屋の空間を最大限に活用して衛生的に布団を収納するための器具を提供する。【解決手段】ベッドと壁の隙間に挟み込んで使用する時は、上パイプと、途中でくの字に曲げを設け曲げの外側に滑り防止ゴムを設けた左右の垂直パイプと、後方に重心を置くための２面足を設けた下パイプの、合計４組のパイプを用いて本体を四角形に組み立ててから、左右の垂直パイプに設けた曲げの効果により、上パイプが壁と反対の方向を向くように本体をベッド２２と壁の隙間に挟み込み、上パイプと壁の間にできた隙間に布団２６や衣類を通して、そのまま上パイプに布団や衣類を掛けて使用する。ベッド２２と壁の隙間に挟み込まずに自立して使用する時は、前記にあるように本体を組み立ててから、下パイプに自立用の足を取り付けて自立させ、上パイプに布団２６や衣類を掛けて使用する。【選択図】図１８
2015150414.tif 000002
【特許請求の範囲】
【請求項１】
上パイプと、それぞれ途中でくの字に曲げを設け曲げの外側に滑り防止ゴムを設けた左右の垂直パイプと、２面足を設けた下パイプの、合計４組のパイプを用いて、四角形の構造を作ることを特徴とする、布団ハンガー兼衣紋掛け。
【請求項２】
自立用の足を左右の垂直パイプの背面に取り付けたり、自立用の足を下パイプに取り付けたり、傾斜パイプを上パイプに取り付けることを特徴とする、請求項１の布団ハンガー兼衣紋掛け。
【発明の詳細な説明】
【技術分野】
【０００１】  本発明は、ベッドと壁の隙間やベッドを左右に挟み込んで使用する、布団や衣類を掛けておくための布団ハンガー兼衣紋掛けに関するものである。
【背景技術】
【０００２】  冬に使用する掛け布団は、暖かくて心地良い寝具だが、夏になるとその収納場所に困ることがあり、部屋の押し入れに布団を収納できれば一番良いが、押し入れが荷物で一杯だったり、部屋が洋室だと収納が押し入れではなくてクローゼットだったりして、布団を収納するのが難しいので、押し入れやクローゼットに布団を収納できない場合は、夏の間ベッドや部屋の隅に押しやられた状態で放置されてしまう。【０００３】  就寝をしている上部の空間に竿を設けて、寝起きに即寝具類を該竿にかけて乾燥させておき、就寝に際しては該寝具類を引き降ろして寝床を形成させ、寝具の移動の時間や手間を省き、かつ天候に左右されない寝具乾燥器の構造および配置とする寝具乾燥器付き就寝台が知られている（特許文献１参照）。【０００４】  布団等を干す場合に、固設したパイプハンガーには直接、伸縮式にしたパイプハンガーではこれを伸ばしてベッドにネジで固定してから、またベッドに固定された折りたたみのものではこれを引き上げロックにて固定後パイプハンガーに掛けることにより、簡単に布団干し等が行え早く乾燥させることができるベッドが知られている（特許文献２参照）。【０００５】  アームとアームを支える支柱とから成る布団支持体複数本をベース部に立設した布団掛けであって、前記アームが寝床上の空間に位置するように設置し、前記アーム複数本の全部または一部に布団を掛け渡すことにより、寝床上の空間に布団のほぼ全体またはその一部分を広げて保持可能とする構造であることを特徴とする寝床上の空間を利用する布団掛けが知られている（特許文献３参照）。【０００６】  ベースとなる部材上に複数本の片持ちアームを回動自在に並べて設けた構造で、該アームが寝床縁に沿って並ぶよう寝床脇に設置し、寝床上の空間において該アームに布団を掛けて干すことを特徴とする布団干し具であって、前記回動の軸となる部分を、直立状態より該寝床縁と平行する方向もしくは該寝床縁から遠のく方向に傾けた角度で設けることにより、該アームを回動させ寝床脇に移動した際の該アームの高さが、寝床上にセットした状態での該アームの高さと比べ低くなることを特徴とする布団干し具が知られている（特許文献４参照）。
【先行技術文献】
【特許文献】
【０００７】
【特許文献１】  特開２００４−２０８９８０号公報
【特許文献２】  特開２００８−３０２１７３号公報
【特許文献３】  特開２００９−０９５６５３号公報
【特許文献４】  特開２０１１−０１５９３９号公報
【発明の概要】
【発明が解決しようとする課題】
【０００８】  部屋の収納が一杯で冬用の掛け布団を夏の間片づけられない場合は、仕方なく掛け布団をベッドや部屋の隅に押しやって空いたスペースで寝てしまうことがあるが、これだと掛け布団が不衛生だし、近年の夏の猛暑では寝苦しくて不快な思いをしてしまうが、他に片づける場所がないと不本意でも仕方なくそういった生活が日常となってしまうため、限られた部屋の空間を最大限に活用して衛生的に布団を収納するための器具を必要とした。【０００９】  特許文献１と特許文献２の従来技術では、器具を取り付けたベッドや寝具台ごと購入したり、器具を既存のベッドや寝具台に取り付けて使用するので、構造が複雑になったり製造コストが高くなってしまうが、本発明は、従来技術とは異なる構造を用いて、組み立て後に可動部分がないため構造が強くて壊れにくく、さらに既に使っているベッドと壁の隙間に挟み込むだけなので、構造を簡単にでき製造コストを低減できることに優れている。【００１０】  特許文献３と特許文献４の従来技術では、土台を敷布団の下に敷いて器具を立たせてから、アーム部分を回動させて出し入れして使用する布団干しだが、本発明は、従来技術とは異なる構造を用いて、組み立て後に可動部分がないため構造が強くて壊れにくく、さらにベッドと壁の隙間に挟み込んで立たせて使用したり、ベッドを使わずに自立させて使用したりする、布団ハンガー兼衣紋掛けであり汎用性に優れている。
本発明は、以上の問題を解決するものである。
【課題を解決するための手段】
【００１１】  本発明をベッドと壁の隙間に挟み込んで使用する時は、上パイプと、途中でくの字に曲げを設け曲げの外側に滑り防止ゴムを設けた左右の垂直パイプと、後方に重心を置くための２面足を設けた下パイプの、合計４組のパイプを用いて本体を四角形に組み立ててから、左右の垂直パイプに設けた曲げの効果により、上パイプが壁と反対の方向を向くように本体をベッドと壁の隙間に挟み込み、上パイプと壁の間にできた隙間に布団や衣類を通して、そのまま上パイプに布団や衣類を掛けて使用する。【００１２】  本発明をベッドと壁の隙間に挟み込まずに自立して使用する時は、前記にあるように本体を組み立ててから、下パイプに自立用の足を取り付けて自立させ、上パイプに布団や衣類を掛けて使用する。
以上の構成よりなる布団ハンガー兼衣紋掛け。
【発明の効果】
【００１３】  本発明をベッドと壁の隙間に挟み込んで設置することで、収納がかさばる布団や衣類をベッドの壁側の空いている上部空間を有効活用して安価に課題を解決でき、さらに本体の下パイプに自立用の足を取り付けることで、ベッドと離して使用したり屋外に布団を干すことができる。【００１４】  本発明の基本的な構造は、市販の一般的な布団ハンガーに、使い方に合わせて曲げと滑り防止ゴムと２面足を加えただけなので、構造が簡単で部品点数が少なく生産コストを低くでき、分解すると全体をコンパクトに梱包できるので、倉庫スペースや輸送コストや販売スペースなどを軽減することができる。
【図面の簡単な説明】
【００１５】
【図１】  本発明の本体の斜視図である。
【図２】  本発明の本体に自立用の足を取り付けた斜視図である。
【図３】  本発明の全部品による組立斜視図である。
【図４】  本発明の上パイプを連結して下から見た組立図である。
【図５】  本発明の垂直パイプを連結した右側面組立図である。
【図６】  本発明の下パイプを連結して下から見た組立図である。
【図７】  本発明の傾斜パイプの側面図である。
【図８】  本発明の収納フックの斜視図である。
【図９】  本発明の固定ネジでパイプとパイプを接続する組立透視図である。
【図１０】  本発明の調節ネジでパイプの長さを調節する組立透視図である。
【図１１】  本発明の取り付けネジで傾斜パイプとパイプを接続する組立透視図である。
【図１２】  本発明の垂直パイプに収納フックで傾斜パイプを取り付けた斜視図である。
【図１３】  本発明を垂直に挟み込んだ時の２面足の拡大右側面図である。
【図１４】  本発明を傾けて挟み込んだ時の２面足の拡大右側面図である。
【図１５】  本発明をベッドと壁の隙間に挟み込んだ正面図である。
【図１６】  本発明をベッドと壁の隙間に挟み込んで上から見た説明図である。
【図１７】  本発明をベッドと壁の隙間に垂直に挟み込んだ右側面図である。
【図１８】  本発明をベッドと壁の隙間に挟み込んで布団を掛けた正面使用図である。
【図１９】  本発明をベッドと壁の隙間に挟み込んで布団を掛けた右側面使用図である。
【図２０】  本発明をベッドと壁の隙間に傾けて挟み込んだ右側面使用図である。
【図２１】  本発明をベッドと窓のある壁の隙間に挟み込んだ右側面使用図である。
【図２２】  本発明を自立してベッドと壁の隙間に設置した右側面使用図である。
【図２３】  本発明でベッドを左右に挟み込んだ正面図である。
【図２４】  本発明でベッドを左右に挟み込んで上から見た説明図である。
【図２５】  本発明でベッドを左右に挟み込んだ右側面図である。
【図２６】  本発明でベッドを左右に挟み込んで布団を掛けた正面使用図である。
【図２７】  本発明でベッドを左右に挟み込んで布団を掛けた右側面使用図である。
【図２８】  本発明に傾斜パイプを取り付けた正面図である。
【図２９】  本発明に傾斜パイプを取り付けて上から見た説明図である。
【図３０】  本発明に傾斜パイプを取り付けた右側面図である。
【図３１】  本発明に傾斜パイプを取り付けて布団を干した正面使用図である。
【図３２】  本発明に傾斜パイプを取り付けて布団を干した右側面使用図である。
【図３３】  本発明に傾斜パイプを収納フックで収納した正面図である。
【図３４】  本発明を自立して布団を干した斜視使用図である。
【図３５】  本発明を自立して布団を干した右側面使用図である。
【発明を実施するための形態】
【００１６】以下、本発明の実施の形態を説明する。
（イ）図１にあるように、本発明の本体は、上パイプの右側（１）と上パイプの左側（２）と右パイプの上側（３）と右パイプの下側（４）と左パイプの上側（５）と左パイプの下側（６）と下パイプの右側（７）と下パイプの左側（８）と固定ネジ（１１）と調節ネジ（１２）と２面足（１４）と滑り防止ゴム（１７）と曲げ（１９）と取り付け穴（２０）から構成される。
（ロ）本発明の本体の重心の位置を低くして倒れにくくするため、図３にあるように、上パイプの右側（１）と上パイプの左側（２）と右パイプの上側（３）と左パイプの上側（５）には口径が小さくて軽いパイプを設け、右パイプの下側（４）と左パイプの下側（６）と下パイプの右側（７）と下パイプの左側（８）には口径が大きくて重いパイプを設ける。
（ハ）図１９にあるように、本発明の本体と壁（２３）との隙間（２５）を通してから布団（２６）や衣類を掛けるため、上パイプの右側（１）および上パイプの左側（２）と壁（２３）との間に隙間（２５）ができるように、図３にあるように、右パイプの上側（３）と左パイプの上側（５）のパイプに途中でくの字に曲げ（１９）を設ける。
（ニ）図２０にあるように、本発明の本体を傾けて設置した時に、右パイプの上側（３）と左パイプの上側（５）が壁（２３）と滑らないように、図３にあるように、右パイプの上側（３）と左パイプの上側（５）に設けられた曲げ（１９）の外側に滑り防止ゴム（１７）を設ける。
（ホ）図５にあるように、右パイプの下側（４）と左パイプの下側（６）の背面には、図２１にあるように、自立用の足（１８）を立てて取り付けるための取り付け穴（２０）をそれぞれ２ヵ所設ける。
（ヘ）図３と図６にあるように、下パイプの右側（７）と下パイプの左側（８）の床（２４）面側には、自立用の足（１８）を床（２４）と平行に取り付けるための取り付け穴（２０）を設ける。
（ト）図３にあるように、自立用の足（１８）には、取り付け部分を２ヵ所設ける。
（チ）図７にあるように、傾斜パイプの右側（９）と傾斜パイプの左側（１０）には、図２８と図２９と図３０にあるように、それぞれ上パイプの右側（１）と上パイプの左側（２）の上から取り付けネジ（１３）を使って取り付けられるように先端に湾曲を設ける。
（リ）図１３と図１７にあるように、本発明の本体を垂直に立てて床（２４）に接地した時に、２面足（１４）の水平面（１５）を本発明の本体の重心の前方の位置に設ける。
（ヌ）図１３と図１９にあるように、本発明の本体を垂直に立てて使用した時に、２面足（１４）の水平面（１５）が床（２４）との接地面となり、図１４と図２０にあるように、本発明の本体を傾けて立てて使用した時に、２面足（１４）の傾斜面（１６）が床（２４）との接地面となるように設ける。
（ル）図１３と図１４にあるように、２面足（１４）の水平面（１５）と傾斜面（１６）には、床（２４）と接地した時に滑って本発明が倒れ込まないように滑り止めの板ゴムなどを設ける。
（ヲ）図８にあるように、補助具の収納フック（２１）には、図１２にあるように、傾斜パイプの右側（９）と傾斜パイプの左側（１０）をはめ込んで収納するために量端に湾曲を設ける。
（ワ）図４と図１０にあるように、本発明の上パイプは、大径パイプの上パイプの左側（２）の中を小径パイプの上パイプの右側（１）がスライドする形で伸縮させて、長さを調節してから調節ネジ（１２）で固定して組み立てる。
（カ）図５と図１０にあるように、本発明の右側の垂直パイプは、大径パイプの右パイプの下側（４）の中を小径パイプの右パイプの上側（３）がスライドする形で伸縮させて、長さを調節してから調節ネジ（１２）で固定して組み立てる。
（ヨ）図５と図１０にあるように、本発明の左側の垂直パイプは、大径パイプの左パイプの下側（６）の中を小径パイプの左パイプの上側（５）がスライドする形で伸縮させて、長さを調節してから調節ネジ（１２）で固定して組み立てる。
（タ）図６と図１０にあるように、本発明の下パイプは、大径パイプの下パイプの左側（８）の中を小径パイプの下パイプの右側（７）がスライドする形で伸縮させて、長さを調節してから調節ネジ（１２）で固定して組み立てる。
（レ）図３と図９を参考にして、前記の（ワ）と（カ）と（ヨ）と（タ）で組み立てた合計４組のパイプを用いて、図１にあるように、固定ネジ（１１）を使って本発明の本体を四角形に組み立てる。
（ソ）この時、製造コストを低減するために調節ネジ（１２）を構成から除いて、上パイプの右側（１）と上パイプの左側（２）を１本化、右パイプの上側（３）と右パイプの下側（４）を１本化、左パイプの上側（５）と左パイプの下側（６）を１本化、下パイプの右側（７）と下パイプの左側（８）を１本化、合計４本のパイプを用いて、固定ネジ（１１）を使って四角形に組み立てることもできる。
（ツ）図３にあるように、本発明は、分解して全体をコンパクトに梱包できる構造なので、倉庫スペースや輸送コストや販売スペースなどを軽減することができる。
本発明は、以上のような構造である。
【００１７】  図１５図と１６と図１７にあるように、本発明の本体をベッド（２２）と壁（２３）の隙間（２５）に挟み込んで使用する時は、図３を参考にして、図１にあるように組み立ててから、右パイプの上側（３）と左パイプの上側（５）の曲げ（１９）の効果により、上パイプの右側（１）と上パイプの左側（２）が壁（２３）と反対の方向を向くようにベッド（２２）と壁（２３）の隙間（２５）に挟み込み、図１８と図１９にあるように、上パイプの右側（１）と上パイプの左側（２）に布団（２６）や衣類を掛けて使用する。
【００１８】  この時、図１３と図１７にあるように、本発明を垂直に立てて使用するので、２面足（１４）の傾斜面（１６）が床（２４）と接地せず、さらに床（２４）に接地している水平面（１５）が本発明の重心の前方の位置にあるので、本発明が後方の壁（２３）側に傾く作用が働き、本発明がベッド（２２）側に倒れ込むといった問題を軽減する。
【００１９】  前記の問題は、ベッド（２２）と壁（２３）の位置関係が変わることで起きるが、壁（２３）は建築物そのものなので移動することは考えにくいため、ベッド（２２）と床（２４）の摩擦抵抗が弱かったり、ベッド（２２）が軽かったり、図１９にあるように、上パイプの右側（１）と上パイプの左側（２）に掛けた布団（２６）や衣類の重さで本発明がベッド（２２）の方向に傾く力が働いたり、地震だったり、その他の様々な要因で、ベッド（２２）が壁（２３）と反対方向に移動して位置関係が変わり隙間（２５）が広がって本発明が立っていられなくなることが、本発明がベッド（２２）側に倒れ込むといった問題のメカニズムであり原因と考えられる。
【００２０】  何かの要因で、ベッド（２２）が壁（２３）と反対方向に移動してしまう場合は、ベッド（２２）と床（２４）の間に市販の滑り止めを設けて対策することで、本発明がベッド（２２）側に倒れ込むといった問題を解決する。
【００２１】  就寝時は、自分の体重がベッド（２２）の重しとなるので、ベッド（２２）が軽くて壁（２３）と反対方向に移動して隙間（２５）が広がり、本発明がベッド（２２）側に倒れ込むといった問題を解決する。
【００２２】  問題が解決しない場合は、図２０にあるように、予めベッド（２２）と壁（２３）の隙間（２５）を多めに広げておいて、本発明を壁（２３）側に傾けて設置することで、布団（２６）や衣類を掛けた時に重心のバランスを取って、本発明がベッド（２２）側に倒れ込むといった問題を解決する。
【００２３】  この時、図１４と図２０にあるように、２面足（１４）の傾斜面（１６）と滑り防止ゴム（１７）がそれぞれ床（２４）と壁（２３）に接地するので、本発明を安定して定位置に固定でき、本発明がベッド（２２）側に倒れ込むといった問題を二重に解決する。
【００２４】  本発明に掛けた布団（２６）の位置を調整することで、壁（２３）と布団（２６）が背もたれとなり、ベッド（２２）をソファーとして使用することができる。
【００２５】  また、賃貸マンションなどで壁（２３）にキズが付くことからフックを取り付けられない場合は、本発明に衣類やタオルなどを掛けて衣紋掛けとして使用することができる。
【００２６】  さらに、図１７にあるように、本発明をベッド（２２）と壁（２３）の隙間（２５）に挟み込んで設置するので、設置スペースが小さく未使用時にも邪魔にならない。
【００２７】  図２１にあるように、ベッド（２２）の横に窓（２７）があり、本発明を設置した時にカーテン（２８）に接触して開け閉めを阻害したり、布団（２６）や衣類を掛けにくくする問題が起きる場合は、右パイプの下側（４）と左パイプの下側（６）の壁（２３）側の背面にある取り付け穴（２０）に自立用の足（１８）を立てて取り付けることで、本発明の本体を窓（２７）やカーテン（２８）から離して接触しないようにして問題を解決でき、さらにカーテン（２８）が本発明や布団（２６）や衣類を押して、本発明がベッド（２２）側に倒れ込むといった問題を解決する。
【００２８】  図１８と図１９にあるように、上パイプの右側（１）と上パイプの左側（２）に布団（２６）や衣類を掛けて就寝した時に、布団（２６）や衣類がベッド（２２）に掛って邪魔に感じる場合や、ベッド（２２）を壁（２３）から離す必要がある場合は、図２２にあるように、ベッド（２２）と壁（２３）の隙間（２５）を多めに広げてから、図３を参考にして、本発明の本体に自立用の足（１８）を端の位置で取り付けて自立させ、本発明がベッド（２２）側に倒れ込むといった問題を解決した上で、本発明を壁（２３）側に設置して問題を解決する。
【００２９】  図２３と図２４と図２５にあるように、壁（２３）を使わずに本発明でベッド（２２）を左右に挟み込んで使用する時は、図３を参考にして、図２にあるように組み立ててから、右パイプの上側（３）と左パイプの上側（５）の曲げ（１９）の効果により、上パイプの右側（１）と上パイプの左側（２）がベッド（２２）の外側を向くように自立させて、図２６と図２７にあるように、上パイプの右側（１）と上パイプの左側（２）に布団（２６）や衣類を掛けて使用する。
【００３０】  図３１と図３２にあるように、ベッド（２２）の上で布団（２６）を干す時は、図３と図１１を参考にして、図７の傾斜パイプの右側（９）と傾斜パイプの左側（１０）を取り付けネジ（１３）を使って、図２８と図２９と図３０にあるように、それぞれ上パイプの右側（１）と上パイプの左側（２）に上から取り付けて、上に布団（２６）を掛けて使用する。
【００３１】  この時、布団（２６）の重さで本発明がベッド（２２）側に倒れ込みそうだが、図３２にあるように、傾斜パイプの右側（９）と傾斜パイプの左側（１０）が取り付けネジ（１３）で本発明の本体と一体化していて、全体の構造が三角形の形を取るので倒れ込む問題を解決する。
【００３２】  傾斜パイプの右側（９）と傾斜パイプの左側（１０）を使用しない時は、図８の補助具の収納フック（２１）を使って、図１２を参考にして、図３３にあるように、右パイプの下側（４）と左パイプの下側（６）に取り付けてコンパクトに収納する。
【００３３】  図３４と図３５にあるように、本発明をベッド（２２）と違う場所で使用したり、屋外で使用する時は、図３を参考にして、図２にあるように、組み立ててから自立させて、上パイプの右側（１）と上パイプの左側（２）に布団（２６）や衣類を掛けて使用する。
【符号の説明】
【００３４】  １  上パイプの右側
２  上パイプの左側
３  右パイプの上側
４  右パイプの下側
５  左パイプの上側
６  左パイプの下側
７  下パイプの右側
８  下パイプの左側
９  傾斜パイプの右側
１０  傾斜パイプの左側
１１  固定ネジ
１２  調節ネジ
１３  取り付けネジ
１４  ２面足
１５  水平面
１６  傾斜面
１７  滑り防止ゴム
１８  自立用の足
１９  曲げ
２０  取り付け穴
２１  収納フック
２２  ベッド
２３  壁
２４  床
２５  隙間
２６  布団
２７  窓
２８  カーテン
【図１】
2015150414.tif 000003
【図２】
2015150414.tif 000004
【図３】
2015150414.tif 000005
【図４】
2015150414.tif 000006
【図５】
2015150414.tif 000007
【図６】
2015150414.tif 000008
【図７】
2015150414.tif 000009
【図８】
2015150414.tif 000010
【図９】
2015150414.tif 000011
【図１０】
2015150414.tif 000012
【図１１】
2015150414.tif 000013
【図１２】
2015150414.tif 000014
【図１３】
2015150414.tif 000015
【図１４】
2015150414.tif 000016
【図１５】
2015150414.tif 000017
【図１６】
2015150414.tif 000018
【図１７】
2015150414.tif 000019
【図１８】
2015150414.tif 000020
【図１９】
2015150414.tif 000021
【図２０】
2015150414.tif 000022
【図２１】
2015150414.tif 000023
【図２２】
2015150414.tif 000024
【図２３】
2015150414.tif 000025
【図２４】
2015150414.tif 000026
【図２５】
2015150414.tif 000027
【図２６】
2015150414.tif 000028
【図２７】
2015150414.tif 000029
【図２８】
2015150414.tif 000030
【図２９】
2015150414.tif 000031
【図３０】
2015150414.tif 000032
【図３１】
2015150414.tif 000033
【図３２】
2015150414.tif 000034
【図３３】
2015150414.tif 000035
【図３４】
2015150414.tif 000036
【図３５】
2015150414.tif 000037